(57)【特許請求の範囲】
【請求項１】
ブラッグ条件に従って、光の伝播の方向を変更するように構成されている、複数の積層複屈折副層を備え、
前記積層複屈折副層は、それぞれ、それぞれの格子周期を画定するように該積層複屈折副層の隣接するものの間のそれぞれの境界面に沿って変化する局所光軸を備え、
前記複数の積層複屈折副層は、前記光を１次ビームに回折するように構成され、０次ビーム及び前記１次ビームの伝播の角度の差は、ブラッグ角に等しい入射角で前記光を受け取ることに応答して、４５度より大きい、光学素子。
【請求項２】
前記複数の積層複屈折副層はモノリシック構造を画定し、前記複数の積層複屈折副層は前記光の波長未満のそれぞれの厚さを有する、請求項１に記載の光学素子。
【請求項３】
前記それぞれの厚さは、前記積層複屈折副層の前記局所光軸によって画定される前記それぞれの格子周期未満であり、前記それぞれの厚さの合計を含む合計した厚さは、前記それぞれの格子周期より大きい、請求項２に記載の光学素子。
【請求項４】
前記光の前記波長は波長λを含み、前記それぞれの格子周期は該光学素子の周期Λを画定し、前記合計した厚さは厚さｄを含み、前記積層複屈折副層の平均屈折率は、Ｑ＝２πλｄ／Λ２ｎである場合、Ｑが前記波長λに対して１より大きいような屈折率ｎを含む、請求項３に記載の光学素子。
【請求項５】
前記積層複屈折副層は、０．４未満の複屈折を有する材料を備える、請求項４に記載の光学素子。
【請求項６】
前記積層複屈折副層は、前記局所光軸を画定する液晶分子配向を有する液晶副層をそれぞれ含む、請求項５に記載の光学素子。
【請求項７】
前記複数の積層複屈折副層のうちの１つ又は複数の積層複屈折副層はキラル層を備え、前記複数の積層複屈折副層のうちの前記１つ又は複数の積層複屈折副層の前記局所光軸は、該積層複屈折副層の前記それぞれの厚さにわたって回転してそれぞれのねじれ角を画定する、請求項４に記載の光学素子。
【請求項８】
前記それぞれのねじれ角及び／又はそれぞれの厚さのうちの幾つかは、前記積層複屈折副層の間で異なる、請求項７に記載の光学素子。
【請求項９】
前記複数の積層複屈折副層は、前記光を、該光の入射偏光とは異なる、同じ偏光を有する前記０次ビーム及び前記１次ビームに回折するように構成されている、請求項１に記載の光学素子。
【請求項１０】
前記複数の積層複屈折副層は、前記ブラッグ角に等しい入射角の前記光を受け取ることに応答して、前記光を、９４％以上の回折効率で前記１次ビームに回折するように構成されている、請求項１に記載の光学素子。
【請求項１１】
前記０次ビーム及び前記１次ビームの前記同じ偏光は、同じ掌性の円偏光を含む、請求項９に記載の光学素子。
【請求項１２】
前記積層複屈折副層から出力される前記０次ビーム及び／又は前記１次ビームを受け取り、該０次ビーム及び／又は該１次ビームを該積層複屈折副層に戻るように反射するように配置された反射素子、
を更に備える、請求項２に記載の光学素子。
【請求項１３】
前記反射素子は、前記積層複屈折副層から前記０次ビーム及び／又は前記１次ビームを受け取ることに応じて、複数の異なる偏光を有する光を出力するように構成されている、請求項１２に記載の光学素子。
【請求項１４】
前記積層複屈折副層の前記それぞれの格子周期は、前記光の波長未満である、請求項１に記載の光学素子。
【請求項１５】
前記複数の積層複屈折副層に光学的に結合された透明基板を更に備え、
前記複数の積層複屈折副層は、前記透明基板内の全反射（ＴＩＲ）に対する臨界角より大きい角度で、前記光を１次ビームに回折するように構成されている、請求項１４に記載の光学素子。
【請求項１６】
前記複数の積層複屈折副層は、それぞれの第１の格子周期を有する第１の複屈折副層を含み、かつ、前記ブラッグ条件に従って、第１の波長の前記光の伝播の方向を変更するように構成されており、前記光学素子は、
前記第１の複屈折副層の上にあり、前記ブラッグ条件に従って、第２の波長の前記光の伝播の方向を変更するようにそれぞれ構成された、複数の積層された第２の複屈折副層を更に備え、
前記第２の複屈折副層は、それぞれの第２の格子周期を画定するように、それらの間のそれぞれの境界面に沿って変化するそれぞれの局所光軸を有し、
前記第１の複屈折副層及び前記第２の複屈折副層は、前記第１の波長及び前記第２の波長の前記光をそれぞれ、それぞれの１次ビームに回折するように構成されている、請求項１に記載の光学素子。
【請求項１７】
前記それぞれの１次ビームは、同じ伝播方向を有する、請求項１６に記載の光学素子。
【請求項１８】
前記第２の格子周期、前記第２の複屈折副層の合計した厚さ、及び／又は前記第２の複屈折副層の平均屈折率は、前記第１の複屈折副層のものとは異なる、請求項１６に記載の光学素子。
【請求項１９】
前記光の前記波長は、４００ナノメートル（ｎｍ）〜１７００ｎｍである、請求項２に記載の光学素子。
【請求項２０】
前記それぞれの格子周期は、１０００ナノメートル（ｎｍ）以下であり、前記それぞれの厚さは、１００ｎｍ〜３００ｎｍである、請求項１９に記載の光学素子。
【請求項２１】
回折光学素子であって、
厚さｄ、平均屈折率ｎを有する少なくとも１つの液晶層であって、Ｑ＝２πλｄ／Λ２ｎである場合、変数Ｑが光の動作波長λに対して１より大きいような、該回折光学素子の格子周期Λを画定するように、該液晶層の表面に沿った方向に変化する液晶分子配向を備える、液晶層、
を備え、
前記少なくとも１つの液晶層は、前記光を１次ビームに回折するように構成され、０次ビーム及び前記１次ビームの伝播の角度の差は、ブラッグ角に等しい入射角で前記光を受け取ることに応答して、４５度より大きい、回折光学素子。
【請求項２２】
前記少なくとも１つの液晶層は、モノリシック構造を画定する複数の積層重合ネマティック液晶副層を備え、該複数の積層重合ネマティック液晶副層のそれぞれの厚さは、前記光の前記動作波長λ未満である、請求項２１に記載の回折光学素子。
【請求項２３】
前記積層重合ネマティック液晶副層の前記それぞれの厚さは、該回折光学素子の前記格子周期Λ未満であり、前記積層重合ネマティック液晶副層の前記それぞれの厚さは、該回折光学素子の前記格子周期Λ及び前記光の前記動作波長λより大きい厚さｄをまとめて画定する、請求項２２に記載の回折光学素子。
【請求項２４】
前記複数の積層重合ネマティック液晶副層のうちの１つ又は複数の積層重合ネマティック液晶副層はキラル層を備え、前記複数の積層重合ネマティック液晶副層のうちの前記１つ又は複数の積層重合ネマティック液晶副層の前記液晶分子配向は、それぞれのねじれ角φを画定するようにその前記それぞれの厚さにわたって回転し、該それぞれのねじれ角φ及び／又は該それぞれの厚さは、前記積層重合ネマティック液晶副層の間で異なる、請求項２２に記載の回折光学素子。
【請求項２５】
前記回折光学素子の前記格子周期Λは、前記光の前記動作波長λ未満である、請求項２１に記載の回折光学素子。
【請求項２６】
前記複数の積層重合ネマティック液晶副層をその上に含む基板と、
前記回析光学素子は前記光を前記１次ビームを出力するように回析し、反射するように構成されている、請求項２２に記載の回折光学素子。
【請求項２７】
前記基板は、反射性基板を備える、請求項２６に記載の回折光学素子。
【請求項２８】
前記複数の積層複屈折副層をその上に含む基板を更に備え、
前記光学素子は、前記光を前記１次ビームを出力するように回析し、反射するように構成されている、請求項１に記載の光学素子。
【請求項２９】
前記基板は、反射性基板を備える、請求項２８に記載の光学素子。
【発明の詳細な説明】
【技術分野】
【０００１】
本発明は、偏光格子に関し、より詳細には、液晶偏光格子及び関連デバイスの製造に関する。
【０００２】
優先権の主張
本出願は、２０１４年７月３１日に出願されかつ「Bragg Liquid Crystal Polarization Gratings」と題する米国仮特許出願第６２／０３１，２６０号に対する優先権を主張し、その出願の開示内容は、引用することによりその全体が本明細書の一部をなすものとする。
【背景技術】
【０００３】
偏光格子（ＰＧ）は、光学的異方性を有する薄膜をパターニングすることによって形成される回折光学素子である。より詳細には、ＰＧは、他の特徴もあるが特に、光軸自体と同一平面（例えば、ＸＹ平面）上である方向に沿って線形に変化する（例えば、Φ（ｘ）＝πｘ／Λ）局所光軸と、均質な異方性の大きさとを有する。これにより、限定されないが、高回折効率、限られた回折次数及び／又は偏光選択性を含む、ＰＧに対して一意である可能性がある光学特性を提供することができる。光配向液晶（ＬＣ）材料を使用して、スイッチング可能なＬＣ及び重合性ＬＣ両方において、高品質なＰＧを製造することができる。後者の場合、ＰＧは、単一の配向層とともにＬＣの複数の副層（sublayer）として形成することができる。低分子量重合性ＬＣ（ＬＣＰ）とも呼ばれる反応性メソゲンにキラルドーパントを添加することにより、各層にキラルねじれを達成することができる。このキラルねじれを用いて、高回折効率の帯域幅を調整することができる。
【０００４】
光の回折格子との相互作用は、材料パラメータ及び幾何学的パラメータの両方の複雑な組合せによって影響を受ける可能性がある。回折格子の分野では、特定の格子構成の光学挙動の領域を識別するために、以下の無次元パラメータＱを使用することが一般的である可能性がある。
【数１】
0006726110.tif 000002
式中、λは光の真空波長であり、ｄは格子厚さであり、Λは光学素子の格子周期（すなわちピッチ）であり、ｎは平均屈折率である。この枠組において、ブラッグ領域は、Ｑ＞１として定義することができ、ラマン−ナス（Raman-Nath）領域はＱ＜１として定義することができ、Ｑ〜１は、両方の特性を有する混合領域を指すものとする。
【０００５】
通常のＰＧは、ラマン−ナス領域、すなわち、いわゆる近軸近似におよそ対応する構成で構成することができる。この領域では、ＰＧは、通常、簡潔な分析的理論によって十分に記述することができる、高い（約１００％）回折効率及び光学挙動を表すことができる。Escuti他の特許文献１に記載されているように、高回折配置は、この領域では半波リタデーション状態で発生する可能性があり、それは、Δｎ＝（ｎｅ−ｎｏ）が複屈折であり、ｎｅ及びｎｏがそれぞれ異常屈折率及び常屈折率である場合、厚さｄ＝λ／２（ｎｅ−ｎｏ）＝λ／２Δｎの非キラル単軸性複屈折材料で達成することができる。他の通常の配置では、例えば、Escuti他の特許文献２及び特許文献３に記載するように、半波状態は、複数のキラルＬＣ層の幾つかの組合せによって達成することができる。この半波状態が満足されると、ＰＧは、通常、円偏光入力では１００％単一の１次光に、及び／又は直線偏光若しくは非偏光では５０％各１次光に、理論的に回折することができる。近年、こうしたＰＧは、物理的に具現化されてきており、幾つかのグループは、特に、バルクＬＣ材料での動作波長λよりはるかに大きい格子周期ΛのＰＧに対して、９９％超の効率（本質的にヘイズなし）を報告している。
【先行技術文献】
【特許文献】
【０００６】
【特許文献１】米国特許第７，６９２，７５９号
【特許文献２】米国特許第８，３０５，５２３号
【特許文献３】米国特許第８，３３９，５６６号
【発明の概要】
【発明が解決しようとする課題】
【０００７】
本発明の実施形態は、大きい回折角で高い回折効率が可能な光学素子を提供する。
【課題を解決するための手段】
【０００８】
本発明の幾つかの実施形態によれば、光を回折する光学素子又は装置は、動作の波長に対してブラッグ条件（Ｑ＞１）が得られるような、格子周期、厚さ及び平均屈折率を有する、少なくとも１つの液晶偏光格子を含む。例えば、動作波長範囲が約４００ｎｍ〜約１７００ｎｍの場合、装置は、合計した厚さが約１００ｎｍ〜約１００００ｎｍであり、格子周期が約３００ｎｍ〜約５０００ｎｍである複数の積層液晶副層を含む。特定の実施形態では、動作波長範囲が約１５３０ｎｍ〜約１５６５ｎｍであり格子周期が約１０００ｎｍである場合、装置は、それぞれの厚さが約１００ｎｍ〜約３００ｎｍであり、合計した厚さが約６０００ｎｍである、複数の積層液晶副層を含むことができる。
【０００９】
幾つかの実施形態では、偏光格子は、基板の上に設けられた複数の積層重合ネマティック液晶副層を含むことができる。基板は、透明又は反射性とすることができる。
【００１０】
幾つかの実施形態では、液晶副層の各々は、格子周期未満の厚さを有することができる。
【００１１】
幾つかの実施形態では、液晶副層は局所光軸を有することができ、それは、副層の間の境界面において位置合わせされる液晶分子配向によって画定することができる。
【００１２】
幾つかの実施形態では、液晶副層は、そのそれぞれの厚さにわたって回転するそれぞれの局所光軸を有するキラル層を備えることができる。液晶副層のキラリティは、そこに入射する光の入射角及び／又は偏光とともに、そこから出力される光の回折角度に影響を与えることができる。
【００１３】
本発明の更なる実施形態によれば、光学素子は、ブラッグ条件に従って、内部を通過する光の伝播の方向を変更するように、かつ光の偏光を変更するように構成された、複数の積層複屈折副層を含む。積層複屈折副層は、それぞれ、それぞれの副層格子周期を画定するように積層複屈折副層の隣接するものの間のそれぞれの境界面に沿って変化する局所光軸を含む。
【００１４】
幾つかの実施形態では、積層複屈折副層は、光の波長未満であり得るそれぞれの厚さを有する。
【００１５】
幾つかの実施形態では、積層複屈折副層は、それぞれの格子周期未満及び／又はそれによって画定される光学素子の格子周期Λ未満である、それぞれの厚さを有することができ、それぞれの厚さの合計を含む合計した厚さは、それぞれの格子周期より大きく及び／又は光学素子の格子周期Λより大きくすることができる。
【００１６】
幾つかの実施形態では、光の波長は波長λを含み、それぞれの格子周期は光学素子の周期Λを画定し、合計した厚さは厚さｄを含み、積層複屈折副層の平均屈折率は、Ｑ＝２πλｄ／Λ２ｎである場合、Ｑが波長λに対して１より大きいような屈折率ｎを含む。
【００１７】
幾つかの実施形態では、積層複屈折副層は、約０．４未満の複屈折を有する材料を備えることができる。
【００１８】
幾つかの実施形態では、積層複屈折副層は、局所光軸を画定する液晶分子配向を有する液晶副層をそれぞれ含むことができる。
【００１９】
幾つかの実施形態では、積層複屈折副層のうちの１つ又は複数の局所光軸は、積層複屈折副層のそれぞれの厚さにわたって回転してそれぞれのねじれ角を画定することができる。
【００２０】
幾つかの実施形態では、それぞれのねじれ角及び／又はそれぞれの厚さのうちの幾つかは、積層複屈折副層の間で異なることができる。
【００２１】
幾つかの実施形態では、複数の積層複屈折副層は、光を、光の入射偏光とは異なる、実質的に同じ偏光を有する０次ビーム及び１次ビームに回折するように構成することができる。
【００２２】
幾つかの実施形態では、複数の積層複屈折副層は、ブラッグ角におよそ等しい入射角の光を受け取ることに応答して、光を、約９４％以上の回折効率で１次ビームに回折するように構成することができる。
【００２３】
幾つかの実施形態では、０次ビーム及び１次ビームの異なる伝播の角度の差は、ブラッグ角におよそ等しい入射角で光を受け取ることに応じて、約４５度を超えるか、約６０度を超えるか、又は最大約９０度とすることができる。
【００２４】
幾つかの実施形態では、０次ビーム及び１次ビームの実質的に同じ偏光は、同じ掌性の略円偏光とすることができる。
【００２５】
幾つかの実施形態では、積層複屈折副層から出力される０次ビーム及び／又は１次ビームを受け取り、０次ビーム及び／又は１次ビームを積層複屈折副層に戻すように反射するように、反射素子を配置又は位置決めすることができる。
【００２６】
幾つかの実施形態では、反射素子は、積層複屈折副層から０次ビーム及び／又は１次ビームを受け取ることに応じて、複数の異なる偏光を有する光を出力するように構成することができる。
【００２７】
幾つかの実施形態では、積層複屈折副層のそれぞれの格子周期は、光の波長未満とすることができる。
【００２８】
幾つかの実施形態では、複数の積層複屈折副層に、透明基板を光学的に結合することができる。複数の積層複屈折副層は、透明基板内の全反射（ＴＩＲ）に対する臨界角より大きい角度で、光を１次ビームに回折するように構成することができる。
【００２９】
幾つかの実施形態では、複数の積層複屈折副層は、それぞれの第１の格子周期を有する第１の複屈折副層とすることができ、ブラッグ条件に従って、内部を通過する第１の波長の光の伝播の方向を変更するように構成することができる。複数の積層された第２の複屈折副層が、第１の複屈折副層の上にある場合があり、それぞれ、ブラッグ条件に従って、内部を通過する第２の波長の光の伝播の方向を変更するように構成することができる。第２の複屈折副層は、それぞれの第２の格子周期を画定するように、それらの間のそれぞれの境界面に沿って変化するそれぞれの局所光軸を有することができる。第１の複屈折副層及び第２の複屈折副層は、第１の波長及び第２の波長の光をそれぞれ、それぞれの１次ビームに回折するように構成することができる。
【００３０】
幾つかの実施形態では、それぞれの１次ビームは、実質的に同じ伝播方向を有することができる。
【００３１】
幾つかの実施形態では、第２の格子周期、第２の複屈折副層の合計した厚さ、及び／又は第２の複屈折副層の平均屈折率は、第１の複屈折副層のものとは異なることができる。
【００３２】
幾つかの実施形態では、積層複屈折副層は、それぞれ、異なる局所格子周期を有する横に並んだ第１の領域及び第２の領域を備えることができる。
【００３３】
幾つかの実施形態では、それぞれの格子周期は、約１０００ナノメートル以下とすることができ、積層複屈折副層は、約１００ｎｍ〜約３００ｎｍのそれぞれの厚さを有する。
【００３４】
幾つかの実施形態では、光の波長は、約４００ナノメートル（ｎｍ）〜約１７００ｎｍとすることができる。
【００３５】
幾つかの実施形態では、積層複屈折副層は、それぞれの格子周期の半分以下であるそれぞれの厚さを有することができる。
【００３６】
本発明のまた更なる実施形態によれば、回折光学素子は少なくとも１つの液晶層を含み、少なくとも１つの液晶層は、厚さｄ（すなわち、厚さｄを有する単一段に形成された液晶層、又は集合的な厚さｄを有する複数の副層から形成された液晶層）、平均屈折率ｎを有し、Ｑ＝２πλｄ／Λ２ｎである場合、変数Ｑが光の動作波長λに対して１より大きいような、回折光学素子の格子周期Λを画定するように、液晶層の表面に沿った方向に変化する液晶分子配向を備える。
【００３７】
幾つかの実施形態では、回折光学素子の格子周期Λは、光の動作波長λ未満とすることができる。
【００３８】
幾つかの実施形態では、格子周期Λは、少なくとも１つの液晶層内で変化することができる。例えば、少なくとも１つの液晶層は異なるセクション又は部分を含むことができ、それらは各々、そのセクション又は部分内に異なる局所格子周期を有する。より全体的には、少なくとも１つの液晶層の一部分は、パラメータの１つの組によってブラッグ偏光格子を画定することができ、少なくとも１つの液晶層の別の部分は、異なるブラッグ偏光格子パラメータを有することができ、又は更には別のタイプの素子（例えば、非ブラッグ偏光格子）に対応するパラメータを有することができる。
【００３９】
幾つかの実施形態では、少なくとも１つの液晶層は、複数の積層重合ネマティック液晶副層を備え、積層重合ネマティック液晶副層のそれぞれの厚さは、光の動作波長λ未満とすることができる。
【００４０】
幾つかの実施形態では、積層重合ネマティック液晶副層のそれぞれの厚さは、回折光学素子の格子周期Λ未満とすることができる。積層重合ネマティック液晶副層のそれぞれの厚さは、回折光学素子の格子周期Λ及び光の動作波長λより大きい厚さｄをまとめて画定することができる。
【００４１】
幾つかの実施形態では、積層重合ネマティック液晶副層のうちの１つ又は複数の液晶分子配向は、それぞれのねじれ角φを画定するようにそのそれぞれの厚さにわたって回転し、それぞれのねじれ角φ及び／又はそれぞれの厚さは、積層重合ネマティック液晶副層の間で異なることができる。
【００４２】
このように本発明の幾つかの実施形態は、内部を通過する光の偏光及び方向を変更するようにそれぞれ構成されている複数の積層複屈折副層を含み、副層は、それぞれの格子周期を画定するように副層の間のそれぞれの境界面に沿った方向に変化するそれぞれの局所光軸を有し、積層複屈折副層のそれぞれの格子周期、それぞれの厚さ及び平均屈折率は、光の波長に対するブラッグ条件を定義する。
【００４３】
幾つかの実施形態による他の装置及び／又は方法は、添付の図面及び詳細な説明を検討することで当業者には明らかとなるであろう。全てのそのような追加の実施形態も、上記実施形態のありとあらゆる組合せに加えて、この説明内に含まれるとともに本発明の範囲内にあり、添付の特許請求の範囲によって保護されることが意図されている。
【図面の簡単な説明】
【００４４】
【図１】本発明の幾つかの実施形態によるブラッグ液晶偏光格子（ＬＣＰＧ）の構造及びパラメータを示す図である。
【図２】本発明の幾つかの実施形態による透過型ブラッグＬＣＰＧによる光波挙動を示す図である。
【図３Ａ】本発明の幾つかの実施形態による透過型ブラッグＬＣＰＧ回折効率測定のための設定を示す図である。
【図３Ｂ】本発明の幾つかの実施形態によって製造された透過型ブラッグＬＣＰＧからの測定された透過率を示すグラフである。
【図４】本発明の幾つかの実施形態による反射型ブラッグＬＣＰＧによる光波挙動を示す図である。
【図５Ａ】本発明の幾つかの実施形態による反射型ブラッグＬＣＰＧ回折効率測定のための設定を示す図である。
【図５Ｂ】本発明の幾つかの実施形態によって製造された反射型ブラッグＬＣＰＧからの測定された反射率を示すグラフである。
【図６】本発明の幾つかの実施形態による傾斜（slanted）ブラッグＬＣＰＧによる光波挙動を示す図である。
【図７】本発明の幾つかの実施形態による透過型傾斜ブラッグＬＣＰＧによる光波挙動を示す図である。
【図８】本発明の幾つかの実施形態による反射型傾斜ブラッグＬＣＰＧによる光波挙動を示す図である。
【図９】本発明の幾つかの実施形態による、導波路内への全反射を達成するように構成された透過型傾斜ブラッグＬＣＰＧによる光波挙動を示す図である。
【図１０Ａ】本発明の幾つかの実施形態による、１次回折が導波路内の全反射（ＴＩＲ）を達成する、傾斜ブラッグＬＣＰＧ回折効率測定のための設定を示す図である。
【図１０Ｂ】本発明の幾つかの実施形態による導波路の縁からの測定された透過率を示すグラフである。
【図１１】本発明の幾つかの実施形態による導波路内への全反射を達成するように構成された反射型傾斜ブラッグＬＣＰＧによる光波挙動を示す図である。
【図１２】本発明の幾つかの実施形態による積層ブラッグＬＣＰＧを示す図である。
【図１３】本発明の幾つかの実施形態による偏光ビームスプリッタ（ＰＢＳ）として作用するように構成された透過型ブラッグＬＣＰＧによる光波挙動を示す図である。
【図１４】本発明の幾つかの実施形態による、反射面と組み合わせてＰＢＳとして作用する透過型ブラッグＬＣＰＧによる光波挙動を示す図である。
【図１５】本発明の幾つかの実施形態による画像制御システムを達成するように、反射型ＬＣディスプレイと組み合わせてＰＢＳとして作用する透過型ブラッグＬＣＰＧによる光波挙動を示す図である。
【図１６Ａ】本発明の幾つかの実施形態によるホログラフィックリソグラフィを用いてブラッグＰＧを製造する方法を示す図である。
【図１６Ｂ】本発明の幾つかの実施形態による格子複製手法を用いてブラッグＰＧを製造する方法を示す図である。
【発明を実施するための形態】
【００４５】
本発明は、本発明の実施形態が示されている添付図面を参照して以下でより十分に説明される。ただし、本発明は、多くの異なる形態で具現化することができ、本明細書において明らかにされる実施形態に限定されるものと解釈されるべきではない。それとは逆に、これらの実施形態は、この開示が十分かつ完全なものとなるとともに本発明の範囲を当業者に十分伝達するように提供される。図面において、層及び領域のサイズ及び相対的なサイズは、明確にするために誇張されている場合がある。同様の参照符号は、全体を通じて同様の要素を参照する。
【００４６】
本明細書では第１の、第２の、第３の等の用語を使用して様々な要素、構成要素、領域、層及び／又は部分について記載する場合があるが、これらの要素、構成要素、領域、層及び／又は部分は、これらの用語によって限定されるべきではないことが理解されよう。これらの用語は、単に、１つの要素、構成要素、領域、層又は部分を別の領域、層又は部分から識別することにのみ使用される。したがって、後述する第１の要素、構成要素、領域、層又は部分を、本発明の教示から逸脱することなく第２の要素、構成要素、領域、層又は部分と呼ぶことができる。
【００４７】
「真下（beneath）」、「下方（below）」、「下部（lower）」、「下（under）」、「上方（above）」、「上部（upper）」等の空間的に相対的な用語が、図に示すような或る要素又は特徴部の別の要素（複数の場合もある）又は特徴部（複数の場合もある）に対する関係を説明する記述を容易にするために、本明細書において用いられる場合がある。これらの空間的に相対的な用語は、図に示す方向に加えて使用中又は動作中のデバイスの種々の方向を包括的に含むように意図されていることが理解されるであろう。例えば、図におけるデバイスが反転した場合、他の要素又は特徴部の「下方」又は「真下」又は「下」として説明された要素は、その後、それらの他の要素又は特徴部の「上方」の方向にある。したがって、用語「下方」及び「下」は、上方及び下方の双方の方向を包括的に含むことができる。デバイスは、（９０度又は他の方向に回転されて）それ以外の方向にある場合があり、本明細書において用いられる空間的に相対的な記述語がそれに応じて解釈される。加えて、或る層が２つの層の「間」にあるというとき、その或る層は、それらの２つの層の間の唯一層である可能性もあるし、１つ又は複数の介在する層も存在する場合もあることも理解されるであろう。
【００４８】
本明細書において用いられる用語は、特定の実施形態を説明することだけを目的とし、本発明の限定を意図するものではない。本明細書において用いられる場合、文脈によりその他の場合が明らかに示される場合を除き、単数形「１つの（a、an）」及び「その（the）」は複数形を包含することが意図される。本明細書において用いられる場合、用語「備える、含む（comprises）」及び／又は「備えている、含んでいる（comprising）」が、述べられている特徴、完全体（integers）、ステップ、動作、要素、及び／又は構成要素の存在を特定するが、１つ又は複数の他の特徴、完全体、ステップ、動作、要素、構成要素、及び／又はそれらの群の存在又は追加を除外しないことが更に理解されよう。本明細書において用いられる場合、用語「及び／又は（and/or）」は、関連付けられて列挙された項目のうちの１つ又は複数のありとあらゆる組合せを含む。
【００４９】
或る要素又は層が、別の要素若しくは層「の上にある」、別の要素若しくは層「に接続されている」、別の要素若しくは層「に結合されている」、又は別の要素若しくは層「に隣接している」というとき、その或る要素又は層は、その別の要素若しくは層の直接上にある、その別の要素若しくは層に直接接続されている、その別の要素若しくは層に直接結合されている、又はその別の要素若しくは層に直接隣接していることもあるし、介在する要素又は層が存在する場合もあることが理解されるであろう。これとは対照的に、或る要素が、別の要素若しくは層「の直接上にある」、別の要素若しくは層「に直接接続されている」、別の要素若しくは層「に直接結合されている」、又は別の要素若しくは層「に直に隣接している」というとき、介在する要素又は層は存在しない。
【００５０】
本発明の実施形態は、本明細書において、本発明の理想的な実施形態（及び中間構造）の概略説明図である断面説明図を参照して説明される。したがって、例えば、製造技法及び／又は公差の結果としての説明図の形状からの変化が予想される。そのため、本発明の実施形態は、本明細書において示す領域の特定の形状に限定されるものと解釈されるべきではなく、例えば、製造の結果得られる形状の変化を含むことになる。したがって、図に示す領域は、その本質が概略的であり、それらの形状は、デバイスの領域の実際の形状を示すように意図されておらず、本発明の範囲を限定するように意図されていない。
【００５１】
他に規定のない限り、本明細書において用いられる全ての用語（技術用語及び科学用語を含む）は、本発明が属する技術分野の当業者により一般に理解される意味と同じ意味を有する。一般に用いられる辞書において定義される用語等の用語が、関連する技術分野及び／又は本開示での意味と一致する意味を有するものとして解釈されるべきであり、本明細書において、理想化された、又は過度に形式張った意味で明確に定義される場合を除き、そのような意味で解釈されることにはならないことが更に理解されよう。
【００５２】
ラマン−ナス領域における幾つかの従来のＰＧは、λに略等しい格子周期Λ（すなわち、Λ〜λ）を有する可能性があり、そこでは、厚さは、半波リタデーション状態におよそ対応する可能性がある。垂直入射に対する回折角θは、以下のように定義することができる。
【数２】
0006726110.tif 000003
式中、Λがλに近づくと（Λ〜λ）、θはより大きくなり、最終的に９０度になる。Λ＜λである場合、θは虚数になり、光は回折格子内を導波することができる。しかしながら、大きい回折角度での（すなわち、Λがλに略等しいときの）高回折効率は、不可能であるか又は実現できない可能性がある。例えば、幾つかの数値シミュレーションに従って、大きい回折角度での高回折効率は、複屈折性が更に高い材料を用いることによって達成することができるが、Λがλに略等しい場合、必要な複屈折性は実現できないほど高い可能性がある（すなわち、Δｎ＞０．４）。他の数値シミュレーションはこれらの発見をサポートするように見え、そのうちの幾つかは、液晶が使用される場合、実現できないほど高い複屈折性Δｎが必要であるために製造が困難である可能性がある、ということを認めることができる。同様に、
【数３】
0006726110.tif 000004
の液晶ベースの偏光格子は、実験的に具現化することができないことを認めることができ、それは、Δｎ〜０．５９である理想的なシミュレーションされた場合においてさえも、予測される最高回折効率は約３０％である可能性があるためである。
【００５３】
ブラッグ領域における偏光格子（ＰＧ）の従来の使用は幾分か限られており、それは、場合によっては、ＰＧの周期が小さいほど製造が困難である可能性があり、及び／又はより複雑な理論的分析が必要である可能性があるためである。しかしながら、この領域は重要である可能性があり、それは、幾つかの用途では、光学系の開口角を増大させるために大きい回折角が好ましい場合があるためである。こうした用途としては、電気通信、ディスプレイ、撮像センサ及び非機械式レーザビームステアリングを挙げることができる。
【００５４】
本発明の幾つかの実施形態は、ブラッグ領域におけるＰＧの従来の使用が、通常、格子周期Λが入射光の波長λ（本明細書では動作波長とも呼ぶ）より大きい場合、すなわち、Λ＞λである場合（例えば、λがΛに略等しい場合）に焦点を置くという理解から、生じることができる。ブラッグＰＧの初期の例では、実験的研究は、アゾベンゼン部分を含むバルク光誘起分子再配向に基づいて、光活性（photoactive）ポリマーを採用して、Λ＝２μｍ、ｄ＝１００μｍ及びλ＝６３３ｎｍで、９０％以上の回折効率を達成した。しかしながら、この種の材料の限界は、厚い膜の場合にヘイズ（すなわち散乱）及び吸収が現れることである可能性があり、膜が厚いほど、Λの小さいブラッグＰＧが必要となる可能性がある。例えば、従来の場合の同じＱに、ただしΛ＝λ＝６３３ｎｍで達するために、式（１）は、同じ材料での厚さが、（２／０．６３３）２＝１０倍を超える、又はｄ＝１ｍｍである必要があり、それは、ヘイズ及び吸収によって膜が使用不可能になる可能性がある厚さである。
【００５５】
幾つかの数値シミュレーション及び理論的分析は、ブラッグ領域において１００％程度に高い回折効率があり得る可能性があることを示す場合があるが、これは、通常、厚さが半波リタデーション厚さよりはるかに大きい場合、かつ光が斜めに入射する場合に、観察することができる。しかしながら、上記シミュレーション及び分析は、優れた回折効率及び低損失のＰＧの製造方法に関する指示をほとんど又は全く提供しない。したがって、従来のＰＧは、大きい回折角に対して液晶（ＬＣ）を使用しない可能性があり、それは一部には、それらが実現不可能なほど又は不可能であるほど厚く、及び／又は不可能なほどに高い複屈折性Δｎ（液晶材料の異常屈折率ｎｅと常屈折率ｎｏとの差を示す）を有する材料を必要とする可能性があるためである。さらに、従来のブラッグＰＧは、バルクＬＣ材料を使用する可能性を具現化することができない。
【００５６】
本発明の実施形態は、最大約９０度の大きい回折角θ（すなわち、λがΛに略等しい）及び高い効率の両方を有するＰＧを提供することにより、上記問題及び／又は他の問題に対処することができる。動作波長に対してブラッグ条件（Ｑ＞１）が得られるように選択された格子周期Λ、厚さｄ及び／又は平均屈折率ｎを有するＬＣ材料で形成されたブラッグＰＧは、これを可能にすることができ、ラマン−ナスＰＧと同様に材料複屈折性によって制限されない可能性がある。本発明の実施形態によって対処される他の問題としては、大きくても小さくても任意の回折角での従来のブラッグＰＧに関連する吸収（等）損失及び／又は製造の困難さが挙げられる。本発明の幾つかの実施形態によるブラッグ液晶偏光格子（ＬＣＰＧ）は、透明であり、従来のＬＣ材料及びプロセスを採用することができるため、より容易に製造することができる。
【００５７】
より具体的には、本発明の実施形態は、個々にコーティングされかつ重合された、バルクＬＣ材料及び複数の副層（内部を通過する光の動作波長未満のそれぞれの厚さを有することができる）を採用して、ブラッグ領域に対して必要な大きい厚さを達成し、それにより、従来技術における従来の方法及び材料の限界を回避して、高回折効率（例えば、およそ又は最大１００％）を表す低損失かつ高品質のブラッグＰＧを物理的に具現化することができる。
【００５８】
図１は、本発明の幾つかの実施形態によるブラッグＬＣＰＧ１００を示す。ブラッグＬＣＰＧ１００は、基板１１０、光配向層１１５及び複数の積層複屈折副層（バルクネマティックＬＣ層１０５ａ、１０５ｂ、．．．１０５ｎとして示す）を含み、複数の積層複屈折副層は、それらの間の境界面に沿った方向に変化するそれぞれの局所光軸を有し、各々、個別にコーティングして重合することができ、それらの関連パラメータは、Ｑ＞１であるように配置され又は選択される。図１の例では、層１０５ａ、１０５ｂ、．．．１０５ｎの各々における液晶分子配向は、層１０５ａ、１０５ｂ、．．．１０５ｎの間のそれぞれの境界面に沿って変化するが、層１０５ａ、１０５ｂ、．．．１０５ｎのそれぞれの厚さにわたって均一である、局所光軸を画定する。基板１１０は、剛性があり若しくは可撓性があり、及び／又は透明であり若しくは反射性であるものとすることができる。光配向層１１５は、線形光重合性ポリマー（linearly photopolymerizeable polymer）（ＬＰＰ）とすることができ、配向方向がΦ（ｘ）＝πｘ／Λに従うようにパターニングされている。
【００５９】
バルクネマティックＬＣ層１０５ａ、１０５ｂ、．．．１０５ｎは、重合反応性ＬＣモノマー層として述べることができ、便宜上かつ一貫性のために、本明細書では、ＬＣポリマー（ＬＣＰ）副層と呼ぶものとする。各薄いＬＣＰ副層１０５ａ、１０５ｂ、．．．１０５ｎは、それ自体の厚さ（ｄ１、ｄ２、．．．、ｄＮ）を有し（それらは、式（１）の全体的な又は総ブラッグＰＧ厚さｄ（＝ｄ１＋ｄ２＋．．．＋ｄＮ）をまとめて画定する）、上及び下の副層との境界面において位置合わせされた局所光軸を有する。２つ以上の副層１０５ａ、１０５ｂ、．．．１０５ｎが各々同じ厚さを有することができるが、本発明の実施形態はそのように限定されず、厚さの異なる副層１０５ａ、１０５ｂ、．．．１０５ｎを含むことができることに留意されたい。同様に、各ＬＣＰ副層１０５ａ、１０５ｂ、．．．１０５ｎは、それぞれの副層又は表面格子周期Λｓを有し、それは、素子１００に対する全体的な光学格子周期Λｏ（より全体的には、本明細書では光学素子格子周期Λと呼ぶ）を画定することができる。図１の実施形態では、光学素子格子周期Λを、副層格子周期Λｓと等しい（すなわちΛｏ＝Λｓ）ものとして示すが、他の実施形態では、光学素子格子周期Λは、副層格子周期Λｓ以下（すなわち、Λｏ≦Λｓ）とすることができる。さらに、各副層厚さｄ１、ｄ２、．．．、ｄＮは、動作波長λ及び／又は光学素子格子周期Λ未満（例えば、光学素子格子周期の約半分以下、すなわちｄ＃≦Λ／２）であって、高品質ＬＣ配向を容易にすることができる（開示内容が引用することにより本明細書の一部をなすものとする、Escuti他の米国特許第８，０６４，０３５号を参照されたい）一方で、幾つかの実施形態では、合計した又は総ブラッグＰＧ厚さｄは、光学素子格子周期Λ及び／又は動作波長λを超えることができることに留意されたい。より全体的には、他のパラメータは一定でありながら、光学素子格子周期Λが増大すると、ブラッグ効果に必要な厚さｄは増大する可能性がある。
【００６０】
これに関して、ＬＣＰ層は、従来の液晶ポリマーとは別個であることが留意されるべきである。本発明の幾つかの実施形態で採用するＬＣＰ薄膜は、低分子量反応性ＬＣ分子を含み、それらは、それらがコーティングされるか又は他の方法で形成される表面の特徴によって配向され、その後、剛直な高分子網目に重合される。特に、ブラッグＰＧの周期的パターンは、直接ＬＣＰ層にではなく、光配向層の表面に記録することができる。逆に、多くの従来の液晶ポリマーは、液晶成分を含む高分子量ポリマーである可能性があり、ブラッグＰＧの周期的パターンは、通常、例えば光誘起分子再配向を介して、材料内に直接記録される。
【００６１】
図２は、光学素子２００を示し、透明基板２１０（図１の基板１１０とは異なる可能性がある）の上に形成されるか又は取り付けられたときに図１のブラッグＬＣＰＧ１００がいかに動作するかを例示する。寄生反射及び漏れを除き、角度θｉで入射する光波２９０は、光２９０の入射角θｉが、θＢがブラッグ角とみなされる場合にブラッグ角関係θｉ＝θＢ＝ｓｉｎ−１（λ／（２Λ））を満足するとき、角度θｍ＝０及びθｍ＝１にそれぞれ沿って、ブラッグＬＣＰＧ１００によって、０次（ｍ＝０）及び１次（ｍ＝１）に対応する２つのみ（又は実質的に２つ）の回折次光２９９、２９９’に分割される。図２の符号によれば、従来の回折方程式に従って、ｓｉｎθｍ＝１＝ｓｉｎθｉ−λ／Λ＝−λ／（２Λ）である。言い換えれば、θｍ＝１＝−θＢは、入射角θｉ及び１次出力ビーム２９９’の回折角θｍ＝１がブラッグ角θＢと同一であるが、１次出力ビーム２９９’の回折角θｍ＝１は（素子２００に対して垂直な方向に対して）方向が反対であることを意味する。０次出力ビーム２９９の回折角θｍ＝０は、素子２００に対して垂直な方向に対して入射角θｉに等しい。さらに、格子パラメータ（すなわち、Λ、ｄ及びΔｎ）は、入射光波パラメータ（すなわち、θｉ及びλ）が与えられると、回折効率が向上するか又は最適であるように選択することができる。幾つかの実施形態では（例えば、ブラッグＬＣＰＧ１００が完全に回折している場合）、出力光波又はビーム２９９、２９９’は、実質的に同じ円偏光を有することができ、それらの相対的な効率は、部分的に入射偏光によって決まる可能性がある。特に、入射光波２９０が円偏光を有し、いわゆるブラッグ角に沿って入力される場合、対向する円偏光により、１次出力ビーム２９９’への最大１００％の回折効率が理論的には可能である。他の実施形態では（例えば、ブラッグＬＣＰＧ１００が、５０％効率等、部分的に回折している場合）、１次出力ビーム２９９’は円偏光される可能性があり、０次出力ビーム２９９は、楕円形の非円偏光を有する可能性がある。したがって、本明細書に記載するようなブラッグＬＣＰＧは、入射光の偏光及び伝播方向の両方を変更する。
【００６２】
図２の実施形態の代表的な例として、一方の側に反射防止コーティングが施されている透明ガラス基板の上に、波長λ＝１５５０ｎｍに対するブラッグＬＣＰＧが製造された。光学素子に対する格子ピッチは、Λ＝１μｍ又は１０００線／ｍｍであるように、すなわち、格子ピッチ又は周期Λが動作波長λ未満であるように選択された。ＬＰＰ材料ＬＩＡ−ＣＯＯ１（DIC Corporation Japan）が使用され、それは、直交円偏光により干渉する２つのコヒーレントＵＶレーザビーム（３５５ｎｍ）のＰＧホログラフィックリソグラフィ法を用いて露出された。ＬＣＰに対して、ＲＭＳ０３−００１Ｃ（Merck Chemicals Ltd.、１５５０ｎｍでΔｎ〜０．１及びｎ〜１．５７）が使用された。このＬＣＰのおよそ３０個の薄層（それぞれの厚さは約２１６ｎｍであり、それは、光学素子格子周期Λ及び動作波長λ未満である）が、例えば、「Multi-twist retarders: Broadband retardation control using self-aligning reactive liquid crystal layers」（Komanduri他、Optics Express 21, 404-420(2013)）において報告されているものと同様の技法を用いて、ＬＰＰ層の上にスピンコーティングされた。回折効率を増大させるか又は最大化するために、総厚さｄ〜６．５μｍ（３０個のＬＣＰ副層の厚さの合計を表す）が選択された。本明細書に記載するブラッグＬＣＰＧの幾つかの実施形態は、最大約２０μｍの総厚さｄを有することができる。薄膜を保護し、空気−ガラス反射損失を低減させるか又は最小限にするために、ＬＣＰの上に第２の透明ガラス基板が接着された。この例に対して、Ｑ〜４０であり、十分にブラッグ領域に入る。
【００６３】
図３Ａは、上述した例においてブラッグＬＣＰＧを特徴付けるために使用される測定設定３０９を示す。１５５０ｎｍレーザ３１０からの直線偏光が、４分の１波長板（ＱＷＰ）３２０に通されて円偏光３９０を提供するように偏光状態が調整され、円偏光３９０は、入射角θｉでブラッグＬＣＰＧ３００に提供された。角度θｉは、サンプルブラッグＬＣＰＧ３００を回転させることによって変更された。光検出器３３０、３３０’を用いることにより、０次３９９及び１次３９９’に回折された光の量が測定された。
【００６４】
図３Ｂは、さまざまな入射角で上述した透過型サンプルブラッグＬＣＰＧ３００に対して測定されたデータを示す。図３Ｂに示すように、入力光３９０が円偏光された場合、０次透過率が最小値に達した。この構成では、入射角θｉが変更されると、０次における絶対最小値が５１度で測定され、それは、ｓｉｎ−１（λ／（２Λ））＝ｓｉｎ−１（１．５５／２）〜５１度として計算されたブラッグ角に非常に近い。図３Ｂに見られるように、この角度（５１度）で０次において１％未満の入射光が観測され、入射光３９０の約９４％が１次に回折された。約４％の損失が、主に、垂直入射に対して選択されたか又は最適化された反射防止コーティングを含んでいた空気−ガラス界面の残留反射に対する要因である可能性がある。この影響を正規化することにより、この測定において約９９％の回折効率（＝０．９４／（０．９４＋０．０１））が達成された。これはＬＣＰＧによるブラッグ回折の確認であるのみでなく、これらの結果は、従来のブラッグ格子（すなわち、非ＰＧタイプ）並びに異なる方法及び材料に従って形成された従来技術によるブラッグＰＧから観察されたものを満たすか又は超過する。さらに、両次数３９９、３９９’の回折効率は、偏光感受型とすることができる。入射光３９０の偏光状態が、直交円偏光の間で（ＱＷＰ３２０を回転させることにより）変更されると、パワーの実質的に全てが１次３９９’から０次３９９にシフトした。両次数３９９、３９９’に対して、偏光コントラスト比（これらの次数における最大対最小パワーとして定義される）が、約１３０：１であるように測定された。０次３９９及び１次３９９’両方の偏光状態が測定され、円形でありかつ同じ掌性であることが確認されたことにも留意されたい。
【００６５】
図４に、本発明の更なる実施形態によるブラッグＬＣＰＧ構成を含む光学素子４００を示し、それは、図２の実施形態２００の反射型バージョンである。金属ミラー又は半導体等の反射性基板４１０の上に、図１と同様のブラッグＬＣＰＧ層１００’が形成されるか又は取り付けられ、そこでは、総厚さｄは、図２のＬＣＰＧ層１００の厚さのおよそ半分である。入射光波４９０は図２と同様に挙動するが、反射性基板４１０による反射のために、全ての角度の出力光又はビーム４９９、４９９’が素子４００の同じ側にある、ということが異なる。すなわち、０次（ｍ＝０）出力光ビーム４９９及び１次（ｍ＝１）出力光ビーム４９９’に対応する回折角θｍ＝０及びθｍ＝１は、それぞれ、図２に示すものに等しいが反対である。この実施形態における光波は、ＬＣＰＧ層１００’を２回通過しなければならないため、ＬＣＰＧ１００’の総厚さｄは、従来の場合の厚さのおよそ半分で選択されるべきである。
【００６６】
図４の実施形態４００の代表的な例として、一方の側に反射防止コーティングが施された透明ガラス基板の上に、波長λ＝１５５０ｎｍに対するブラッグＬＣＰＧが製造された。全てのパラメータ、材料及び製造方法は、上記の代表的な例のものと同様であるか又は同じであったが、総厚さｄ＝３μｍであることが異なり、それは、およそ１５個のＬＣＰ副層をコーティングすることによって達成された。そして、薄膜がアルミニウムミラーに積層された。図５Ａは、ブラッグＬＣＰＧサンプル５００を評価するための測定設定５０９を示し、図５Ｂは、異なる入射角で測定された０次反射率及び１次反射率を示す。特に、１５５０ｎｍレーザ５１０からの直線偏光が４分の１波長板（ＱＷＰ）５２０に通されて円偏光５９０を提供するように偏光状態が調整され、円偏光５９０は、入射角θｉでブラッグＬＣＰＧ５００に提供された。角度θｉは、サンプルブラッグＬＣＰＧ５００を回転させることによって変更された。光検出器５３０、５３０’を用いることにより、０次５９９及び１次５９９’に回折された光の量が測定された。図２の実施形態に関する上記の例とは対照的に、図５Ｂに示すデータは、入射角が変更される際に強力な振動を示す。それにもかかわらず、５１度の同じブラッグ角で、０次における全体的な最小値（約１３％）が観察され、そこで、１次への最大反射率（約８３％）が発生した。これは、８６％の回折効率（＝０．８３／（０．８３＋０．１３））に対応する。これは可能なほど高くない（この場合、ＬＣＰ厚さはわずかに薄すぎた可能性があるため）が、それにもかかわらず、それは、ＬＣＰＧからのブラッグ回折の実証である。
【００６７】
図６に、本発明のまた更なる実施形態によるブラッグＬＣＰＧ６００を示し、それは、図１の実施形態１００と同様であるが、ＬＣＰ材料及び結果としての構造が異なる。この場合、ＬＣＰとして重合性キラルネマティックＬＣ混合物が採用され、それにより、ｚ方向にらせん状のねじれがもたらされる。したがって、各薄いＬＣＰ副層６０５ａ、６０５ｂ、．．．６０５ｎはそれ自体の厚さ（ｄ１、ｄ２、．．．、ｄＮ）とともに、素子６００全体に対してφの総ねじれになるそれ自体のキラルねじれ（φ１、φ２、．．．φＮ）を有する。言い換えれば、副層６０５ａ、６０５ｂ、．．．６０５ｎのうちの１つ又は複数の液晶分子配向は、局所光軸を画定し、副層６０５ａ、６０５ｂ、．．．６０５ｎの間のそれぞれの境界面に沿って変化するだけでなく、副層６０５ａ、６０５ｂ、．．．６０５ｎのそれぞれの厚さｄ１、ｄ２、．．．、ｄＮにわたっても変化してそれぞれのねじれ角φ１、φ２、．．．φＮを画定する。これはまた、幾つかの従来の傾斜ブラッグ格子の周期的構造の角度傾斜に類似する「傾斜」ブラッグＬＣＰＧも達成する。副層６０５ａ、６０５ｂ、．．．６０５ｎは、各々、同じ厚さ及びねじれを有する可能性があるが、本発明の実施形態はそのように限定されず、異なる厚さ及び／又はねじれを有する副層６０５ａ、６０５ｂ、．．．６０５ｎを含むことができることに留意されたい。さらに、高品質ＬＣ配向を促進するように、各副層厚さは、動作波長λ及び／又は格子周期Λ未満（すなわち、ｄ＃≦Λ／２）である可能性があることに留意されたい（Escuti他の米国特許第８，０６４，０３５号を参照されたい）。より詳細には、各ＬＣＰ副層６０５ａ、６０５ｂ、．．．６０５ｎは、それぞれの副層又は表面格子周期Λｓを有し、それは、素子６００に対する全体的な光学格子周期Λｏ（光学素子格子周期Λとも呼ぶ）を画定する。光学素子格子周期Λは、図６の実施形態に示す傾斜ブラッグＬＣＰＧでは副層格子周期Λｓ未満（すなわち、Λｏ＜Λｓ）であるが、他の実施形態では、副層格子周期Λｓと等しい（すなわち、Λｏ＝Λｓ）場合がある。
【００６８】
図７及び図８に、図６の実施形態の代表的な例を示し、そこでは、図６の傾斜ブラッグＬＣＰＧ６００は、１次を異なる角度θｍ＝１に回折する（図２及び図３を参照されたい）。この傾斜は、キラルネマティックＬＣＰ材料自体の自発的ならせん状ねじれ作用を介して達成され、入射ブラッグ角及び／又は１次回折角に対して追加の制御を提供し、角度を、本来等価な非傾斜（すなわち、非キラル）バージョンと比較して大きいか又は小さいように変更することができる。例えば、開示内容が引用することにより本明細書の一部をなすものとする、「LOW-TWIST CHIRAL LIQUID CRYSTAL POLARIZATION GRATINGS AND RELATED FABRICATION METHODS」と題するEscuti他の米国特許出願第１２／５９６，１８９号（現時点では米国特許第８，３３９，５６６号）に記載されているように、ねじれ角を正確に制御するために、非キラルネマティックＬＣにキラル分子を追加することができる。開示内容が引用することにより本明細書の一部をなすものとする、「MULTI-TWIST RETARDERS FOR BROADBAND POLARIZATION TRANSFORMATION AND RELATED FABRICATION METHODS」と題するEscuti他の米国特許出願第１３／６４６，１６６号に記載されているように、副層が異なるキラルねじれを有する場合、帯域幅及び角度応答を含む、ブラッグＬＣＰＧ挙動の追加の態様を制御することができることに留意されたい。
【００６９】
特に、図７の光学素子７００は、透明基板７１０の上に形成されるか又は取り付けられた場合の図６のブラッグＬＣＰＧ６００の動作を示す。図７に示すように、角度θｉで入射する光波７９０は、ブラッグＬＣＰＧ６００によって、角度θｍ＝０及びθｍ＝１に沿ってそれぞれ、０次（ｍ＝０）及び１次（ｍ＝１）に対応する２つのみ（又は実質的に２つ）の回折次数７９９、７９９’に分割される。
【００７０】
図８の光学素子８００は、金属ミラー又は半導体等の透明基板８１０の上に形成されるか又は取り付けられた場合の図６と同様のブラッグＬＣＰＧ６００’の動作を示す。この実施形態における光波は、ＬＣＰＧ層６００’を２回通過しなければならないため、ＬＣＰＧ層６００’の総厚さｄは、図７のＬＣＰＧ層６００の厚さのおよそ半分である。入射光波８９０は、図７の場合と同様に挙動するが、反射性基板８１０による反射のために、全ての角度の出力光又はビーム８９９、８９９’が素子８００の同じ側にある、ということが異なる。
【００７１】
図９に、本発明の更なる実施形態によるブラッグＬＣＰＧ構成を含む光学素子９００を示し、そこでは、図６の傾斜ブラッグＬＣＰＧ６００が、透明基板９１０に光学的に結合され、基板９１０内の１次光出力ビーム９９９’の１次回折角θｍ＝１は、臨界角より大きく、全反射（ＴＩＲ）をもたらす。これは、時に導波路結合と呼ばれ、それは、入力光波９９０が、ＴＩＲをサポートする導波路のモードに向けられているためである。限定されないが、基板９１０の上にブラッグＬＣＰＧ６００を直接形成すること、又は異なる基板の上にブラッグＬＣＰＧ６００を形成し、その後、それをＴＩＲが発生する最終的な基板９１０に積層することを含む、光学結合を達成するさまざまな方法がある。この同じ構造で逆の挙動が発生し、すなわち、入射光波又はビームが適切な角度でかつ適切な波長で基板９１０内部をすでに導波している場合、傾斜ブラッグＬＣＰＧ６００はそれを基板から出るように回折することができるに留意されたい。これは、時に外部結合（out-coupling）と呼ばれる。ブラッグＬＣＰＧによる導波路内部結合（in-coupling）及び外部結合は、限定されないが、プレーナ光波回路、光ファイバカプラ、分散フィードバックレーザ、光センサ、ニア・ツー・アイ（near-to-eye）ディスプレイ及びヘッドアップ（heads-up）ディスプレイ、バックライト（等）用のターニングフィルム及び太陽光集光器を含む、多くの用途で有用である。０次出力ビーム９９９の回折角θｍ＝０は、素子９００に対して垂直な方向に対して入射角θｉに等しい。
【００７２】
図９の実施形態の代表的な例として、一方の側に反射防止コーティングが施された透明ガラス基板の上に、波長λ＝１５５０ｎｍに対する傾斜ブラッグＬＣＰＧが製造された。全てのパラメータ、材料及び製造方法は、図２の実施形態に関連する代表的な例のものと同様であるか又は同一であるが、キラルネマティックＬＣＰ材料を使用することが異なる。このキラルネマティックＬＣは、ＬＣＰベースの材料ＲＭＳ０３−００１Ｃ内に少量（２重量％）キラルドーパントＣＢ１５（Merck Chemicals Ltd.）を添加することによって準備された。これにより、同様の厚さｄ（約６μｍ）でねじれφ＝４００度〜５００度がもたらされたと推定される。光学素子に対する全体的な格子ピッチは、Λ＝１μｍ又は１０００線／ｍｍとして同じままであることに留意されたい。これらのパラメータは、入力光が表面に対して略垂直な方向から入射する場合に、ガラス基板（屈折率が約１．５）内の１次回折のＴＩＲを達成するように選択された。
【００７３】
図１０Ａは、図９の例の透過型傾斜ブラッグＬＣＰＧを特徴付けるために使用される測定設定１００９を示す。特に、１５５０ｎｍレーザ１０１０からの直線偏光が、４分の１波長板（ＱＷＰ）１０２０に通されて円偏光１０９０を提供するように偏光状態が調整され、円偏光１０９０は、サンプルブラッグＬＣＰＧ１０００を回転させることによって変更された入射角θｉでブラッグＬＣＰＧ１０００に提供された。光検出器１０３０、１０３０’を用いることにより、０次１０９９及び１次１０９９’で回折された光の量が測定された。図１０Ｂは、入射光１０９０が円偏光され、入射角θｉが変更された場合の結果を示す。入射角が小さい場合、０次パワーは低く、最小値はθｉ＝５度で約７％であった。略又は実質的に全ての残りの光が、導波路（すなわち基板）内に結合され、複数回ＴＩＲを受けた。サンプルにおける非均一性により、導波路内に幾分かの散乱損失があった。それにもかかわらず、基板から検出器に、この光の大部分（約６４％）が最終的に漏れ出た。傾斜ブラッグＬＣＰＧとの相互作用の後に発生するこの影響を正規化することにより、少なくとも約９０％の回折効率（＝０．６４／（０．６４＋０．０７））が達成された。キラル濃度及び／又はＬＣＰ厚さを調整することにより、及び／又は最適な入射角を調整することにより、効率を更に向上させることができる。
【００７４】
図１１に、本発明の更なる実施形態によるブラッグＬＣＰＧ構成を含む光学素子１１００を示し、それは、図９の実施形態９００の変形である。この場合、傾斜ブラッグＬＣＰＧ６００’は、反射型（図８を参照）であり、入射光１１９０の反対側に配置される。図９におけるように、１次回折方向はまた、ＴＩＲが発生する方向に沿う。特に、図１１に示すように、ブラッグＬＣＰＧ６００’は、金属ミラー又は半導体等の反射性基板１１１０ｂの上に形成されるか又は取り付けられ、反射性基板１１１０ｂに対して反対側の透明基板１１１０ａに光学的に結合される。この実施形態における光波は、ＬＣＰＧ層６００’を２回通過しなければならないため、ＬＣＰＧ層６００’の総厚さｄは、図９のＬＣＰＧ層６００の厚さのおよそ半分である。入射光１１９０は、透明基板１１１０ａを通って傾斜ブラッグＬＣＰＧ６００’まで透過し、０次ビーム及び１次ビームに回折され、それらは、反射性基板１１１０ｂによって反射され、傾斜ブラッグＬＣＰＧ６００’を通って戻るように透過し（それによって、ビームの偏光が反転する）、透明基板１１１０ａに対して０次光出力ビーム１１９９及び１次光出力ビーム１１９９’を提供する。基板１１１０ａ内の１次光出力ビーム１１９９’の回折角θｍ＝１は、臨界角より大きく、全反射（ＴＩＲ）をもたらす。０次光出力ビーム１１９９の回折角θｍ＝０は、入射角θｉに等しいが、素子１１００に対して垂直な方向に対して反対である。
【００７５】
図１２に、本発明の他の実施形態によるブラッグＬＣＰＧ構成を含む光学素子１２００を示し、そこでは、２つ以上のブラッグＬＣＰＧ１２０１、１２０２が基板１２１０の上に積層形態で配置され、任意選択的に、それらの間に接着剤１２０５、基板及び／又は他の平面素子がある。例えば、図１の実施形態１００及び／又は図６の実施形態６００に従って、各ブラッグＬＣＰＧ１２０１、１２０２を形成することができ、それらは、互いに異なる少なくとも１つのパラメータ（例えば、光学素子格子周期Λ、厚さｄ及び／又はねじれφ）を有するように構成することができる。例として、２つの異なる波長λ１及びλ２を含む入射光１２９０を、高いか又は最適な効率で実質的に同じ１次方向（出力ビーム１２９９’によって示す）に回折するように、２つのブラッグＬＣＰＧ１２０１及び１２０２を構成することができ、それには、各ブラッグＬＣＰＧ１２０１、１２０２が異なる光学素子格子周期Λλ１及びΛλ２を有する必要がある可能性がある。さらに、追加のブラッグＬＣＰＧにより、こうした積層体は、実質的に全ての光が、ブラッグＬＣＰＧの偏光特性を用いて偏光変換システム（ＰＣＳ）におけるのと実質的に同じ偏光によって垂直方向に沿って方向が変えられるように設計することができる。積層ブラッグＬＣＰＧは、限定されないが、ニア・ツー・アイディスプレイ及びヘッドアップディスプレイ、バックライト（等）用のターニングフィルム、プロジェクタ、太陽光集光器、光ファイバカプラ、分散フィードバックレーザ、ビームステアリング及び光学データ記憶デバイスを含む、多くの用途の範囲内で優先的に採用することができる。
【００７６】
図１３に、本発明の幾つかの実施形態による偏光ビームスプリッタ（ＰＢＳ）１３００を示し、そこでは、図６の実施形態によるブラッグＬＣＰＧ６００が、偏光ビームスプリッタ（ＰＢＳ）として作用するように構成されている。ブラッグＬＣＰＧ６００は、或る入射角θｉ（例えば、略４５度）で入射光１３９０を受け入れ、出力光１３９９、１３９９’を、好ましくは互いから約４５度を超える、互いから約６０度を超える、又は互いから最大約９０度の方向に沿って、２つの出力回折次数（透過光波１３９９及び回折光波１３９９’とも呼ぶ０次出力光１３９９及び１次出力光１３９９’）に回折するように構成され、各回折次数１３９９、１３９９’は、入力偏光状態にかかわらず、同じ掌性で略円偏光される可能性がある。入力偏光状態及び出力偏光状態の双方を制御するために、任意選択的に、ブラッグＬＣＰＧ６００の両側にリターダを追加することができるが、これは必須ではない。図１３は、単一パス構成１３００を示し、そこでは、入力光１３９０は、ブラッグＬＣＰＧ６００の一方の側からのみ入る。分光法、ディスプレイ、ホログラフィ及び偏光分析を含む幾つかの用途において、ＰＢＳ素子１３００は有用である可能性がある。
【００７７】
図１４におけるＰＢＳ構成１４００は、図１３の実施形態に類似するが、反射面１４１０、物体又はデバイスとともにブラッグＬＣＰＧ  ＰＢＳ６００を更に含む。反射面は、図１３の透過光出力経路１３９９又は回折光出力経路１３９９’のいずれかにおいて構成するか又は配置することができる。図１４の例では、０次光ビーム１４９９は透過し、反射面１４１０は、１次／回折光ビーム経路１４９９’に配置される。反射面１４１０は、種々の偏光をもたらす特徴及び／又は特性を有することができ、少なくとも部分的に、こうした混合偏光状態を有する光１４８０の方向を、２回目のパスのためにブラッグＬＣＰＧ６００に向かって戻るように変える。反射面１４１０は、限定されないが、パターニングされた複屈折構造、空間的高さの相違及び／又は複数の材料を含む、多くの形態で実施することができる。ブラッグＬＣＰＧ６００に向かって反射される光１４８０は、図１４に示すように、その偏光に従って分析され、そこでは、光の一部１４８９’は回折され、光の一部１４８９は透過する。こうした実施形態は、計測学、偏光分析、リモートセンシング及びイメージングを含む様々な用途において有用である可能性がある。
【００７８】
図１５は、図１４の実施形態と同様のＰＢＳ構成１５００を示すが、そこでは、反射面１５１０は、例えば投影ディスプレイシステムの一部としての、ＬＣマイクロディスプレイ等のＬＣディスプレイシステムである。しかしながら、ＬＣマイクロディスプレイを含む構成とのブラッグＬＣＰＧ  ＰＢＳの組合せは、適応制御光学及びホログラフィを含む他の多くの用途に対して有用な一般的なサブアセンブリであり、投影ディスプレイ用途に制限されない。図１５において、１回目のパスにおける透過した０次光波１５９９は、ビームストップによって遮断され、ＬＣＰＧ６００に戻るように送られる寄生反射を低減させるか又は防止し、投影画像における高いコントラストを確実にする。回折された１次光波１５９９’は、反射型ＬＣディスプレイ１５１０の上に向けられ、それによって反射される。図１４の実施形態と同様に、反射面１５１０は、種々の偏光をもたらす特徴及び／又は特性を有することができ、幾つかの実施形態では、少なくとも部分的に、こうした混合偏光状態を有する光１５８０の方向をブラッグＬＣＰＧ６００に向かって戻るように変える。ＬＣディスプレイ１５１０からの反射された光ビーム１５８０は、偏光感受型ブラッグＬＣＰＧ６００によって０次／透過光ビーム１５８９及び１次／排除光ビーム１５８９’に選択的に分離される画像情報を含み、そこでは、透過光波１５８９は、投影レンズに、例えば、拡大又は画面への投影のために向けられる。回折光波１５８９’は遮断されるか又は再循環する。この構成１５００は、さまざまなＬＣ投影ディスプレイシステムで使用することができ、したがって、こうした用途に対して実際的である可能性がある。
【００７９】
上記記載において、「標準ＰＧホログラフィックリソグラフィ法」とは、図１６Ａ及び図１６Ｂに示す構成を指すものとする。図１６Ａ及び図１６Ｂは、例えば、開示内容が引用することにより本明細書の一部をなすものとする、Escuti他の米国特許第８，３５８，４００号に記載されているような光配向材料及びＬＣ材料を用いて、結果として得られるＬＣＰＧがブラッグ条件（Ｑ＞１）を満足させるよう、十分な光学素子格子周期を画定するように、ＬＰＰ内でＰＧ配向条件をパターン化する、２つのあり得る手法１６００ａ及び１６００ｂを示す。ＬＰＰにより、空間的に変化する偏光パターンが、配向方向として記録される。ＰＧに対して、配向パターンは、全体を通して、ただし位置に線形に依存する（すなわち、Φ（ｘ）＝πｘ／Λ）配向角で、主に直線偏光される可能性がある。光源は、高コヒーレントな平行光源１６１０（例えばレーザ）とすることができ、又は、偏光子１６１２を透過する、部分的にコヒーレントな及び／又は部分的に平行の光源１６１０ｂ（例えば、高圧ランプ又は発光ダイオード（ＬＥＤ））とすることができる。光源１６１０ａ、１６１０ｂは、紫外線（ＵＶ）波長を放出することができるが、これは必須ではない。図１６Ａの第１の手法１６００ａは、ホログラフィックリソグラフィと呼ばれ、それは、光源１６１０ａの出力がビームスプリッタ１６０３、ミラー１６０７及び波長板１６０８を通過した後、２つの結果としてのビーム（反対の円偏光を有するものとして示す）が、記録面１６１５において干渉するためであり、この手法１６００ａは、本明細書に記載する例のうちの幾つかにおいて使用された。図１６Ｂの第２の手法１６００ｂは、プロキシミティリソグラフィ又はホログラフィック複製と呼ばれ、それは、例えば、Escuti他の米国特許第８，３５８，４００号に記載されているように、マスクパターン１６１６がレプリカＰＧ１６１７の上にコピーされるためである。本明細書に記載するブラッグＬＣＰＧのパターニング及び製造に対していずれも使用することができる。
【００８０】
本明細書に記載する実施形態は、所与のブラッグＬＣＰＧにおける光学素子格子周期が全体を通して一定である構成に主に焦点を置いている。しかしながら、同じブラッグＬＣＰＧの異なる領域が、異なる局所格子周期を有して、Ａ（ｘ，ｙ）を有効に提供することができ、それにより、２次元１＞（ｘ，ｙ）である可能性がある光軸角がもたらされることが理解されよう。本明細書に記載する実施形態の任意のこうした変更が、本発明の範囲内に含まれることが更に理解されよう。
【００８１】
したがって、本発明の実施形態は、ブラッグ液晶偏光格子（ＬＣＰＧ）と呼ぶ新たな種類の光学素子を提供し、それは、大きい回折角も含むブラッグ領域においてＰＧにおける高効率回折を達成するという従来の問題を克服する構造、方法及び使用に取り組む。幾つかの実施形態は、ブラッグＬＣＰＧを用いて導波路に対する内部結合／導波路からの外部結合のための膜を含む。本発明の実施形態は、従来の素子より単純な方法で、より低損失で、ブラッグＰＧにおける偏光選択性により、高回折効率及び限られた回折次数を達成することができ、より広い設計パラメータ空間をサポートすることができる。本発明の実施形態は、限定されないが、偏光分析及び偏光解析法、生体イメージング、光磁気データ記憶装置、偏光多重化／多重分離、偏光ベースの光変調器、偏光スイッチ及びビームスプリッタを含む、種々の用途で使用することができる。
【００８２】
本発明の実施形態によって製造された幾つかのブラッグＬＣＰＧ素子は、例えば、開示内容が引用することにより本明細書の一部をなすものとする、「LOW-TWIST CHIRAL LIQUID CRYSTAL POLARIZATION GRATINGS AND RELATED FABRICATION METHODS」と題する、Escuti他の米国特許出願第１２／５９６，１８９号、及び「MULTI-TWIST RETARDERS FOR BROADBAND POLARIZATION TRANSFORMATION AND RELATED FABRICATION METHODS」と題する、Escuti他の同第１３／６４６，１６６号に記載されているようなアクロマティックＰＧ及びＭＴＲの技法を用いて、広帯域スペクトルを有することができる。
【００８３】
本発明の実施形態は、本明細書では、液晶（ＬＣ）材料に関して説明されている。液晶は、分子の秩序だった配列が存在する液体を含むことができる。通常、長形状（ロッド状）又はフラット形状（ディスク状）のいずれかを有する液晶（ＬＣ）分子は、異方性とすることができる。異方性分子の配列の結果、バルクＬＣは、多くの場合、その機械的特性、電気的特性、磁気的特性、及び／又は光学的特性における異方性等のその物理特性における異方性を示す。液晶は、本明細書において用いられるとき、ネマティック相、キラルネマティック相、スメクティック相、強誘電相、及び／又は別の相を有することができる。ロッド状又はディスク状の性質の結果、ＬＣ分子の方向の分布は、液晶ディスプレイ（ＬＣＤ）等の光学的用途において重要な役割を果たすことができる。これらの用途では、ＬＣ配向は、配向表面によって規定することができる。配向表面は、ＬＣが制御可能な方法で表面に対して配向するように取り扱うことができる。本明細書に記載する偏光格子を生成するために、配向層として多数の光重合性ポリマーを使用することができる。光重合性であることに加えて、これらの材料は、ＬＣに対して不活性である可能性があり、ＬＣデバイスの動作温度の範囲（例えば、約−５０℃〜約１００℃）にわたって安定した配向を提供するべきであり、本明細書に記載する製造方法と適合性があるべきである。本発明の幾つかの実施形態で使用する更なる構造及び／又は方法については、Escuti他の国際公開第２００６／０９２７５８号において考察されており、その開示内容は全体として引用することにより本明細書の一部をなすものとする。
【００８４】
「透過性」又は「透明」の基板又は素子は、本明細書において用いられるとき、入射光の少なくとも一部がそれらの基板又は素子を通過することを可能にすることができることが当業者によって理解されるであろう。換言すれば、本明細書において説明する透過性素子又は透明素子は、完全に透明である必要はなく、等方性吸収特性又はダイクロイック吸収特性を有する場合があり、及び／又は入射光の一部を別の方法で吸収する場合がある。対照的に、本明細書に記載するような「反射性」基板は、入射光の少なくとも一部を反射することができる。透明基板又はスペーサは、幾つかの実施形態では、ガラス基板とすることができる。
【００８５】
また、「重合性液晶」は、重合することができる比較的低分子量の液晶材料を指す場合があり、本明細書において「反応性メソゲン」として説明される場合もある。これとは対照的に、「非反応性液晶」は、重合化することができない比較的低分子量の液晶材料を指す場合がある。
【００８６】
本明細書で用いる「０次」光は、入射光の方向に実質的に平行な方向に、すなわち、実質的に同様の入射角で伝播するものであり、本明細書では、「軸上」光と呼ぶことができる。対照的に、「１次」光等の「非０次光」は、入射光に対して平行ではない方向に伝播するものであり、本明細書では「軸外」光と呼ぶ。本明細書に記載するような「部分的に平行な」光は、互いに実質的に平行に伝播する光線又はビームを述べるものとするが、幾分かの発散を有する（例えば、光源からの距離によってビーム径が異なる）ことができる。
【００８７】
幾つかの実施形態では、光源は楕円偏光された光又は部分的に偏光された光（例えば、或るレーザダイオード及びＬＥＤ光源からの光等）を提供できることが更に理解されるであろう。
【００８８】
周囲媒体（例えば空気）とインタフェースする全ての表面に、反射防止コーティングを施すことができることもまた理解されよう。本明細書に記載した光学素子は、場合によっては、間に空隙なしに合わせて積層することができ、他の場合では、間に空隙があって配置することができることも理解されよう。
【００８９】
本明細書において説明するように、「リターダ」及び「波長板」という用語は区別なく用いることができ、次の追加の用語、すなわち、一軸性、二軸性、又は不均質のいずれの「リタデーションプレート」、「補償膜」、及び「複屈折プレート」も、別段の指定がない限り同等とみなされることが理解されるであろう。本明細書において説明するようなリターダは、広帯域（すなわち、アクロマティック）とすることもできるし、狭帯域（すなわち、クロマティック）とすることもできる。
【００９０】
本発明の実施形態は、本明細書において説明した特定の材料に限定されるものではなく、本明細書において説明したように機能するありとあらゆる材料層を用いて実施することができることも理解されるであろう。
【００９１】
本明細書において、上記の説明及び図面に関連して多くの異なる実施形態が開示されてきた。これらの実施形態の全ての組合せ及び部分的組合せをそのまま説明し示すことは、過度に繰返しが多くわかりにくいものとなることが理解されよう。したがって、図面を含む本明細書は、本明細書において説明される本発明の実施形態並びにそれらを作成し用いる方式及びプロセスの全ての組合せ及び部分的組合せの完全な明細書を構成すると解釈されるものとし、任意のそのような組合せ又は部分的組合せに対する特許請求を支持するものとする。
【００９２】
図面及び明細書に、本開示の実施形態が開示され、特定の用語が使用されているが、それらの用語は、一般的かつ説明的な意味でのみ用いられ、限定の目的では用いられていない。
なお、出願当初の特許請求の範囲の記載は以下の通りである。
請求項１：
ブラッグ条件に従って、内部を通過する光の伝播の方向を変更するように構成されている、複数の積層複屈折副層を備え、
前記積層複屈折副層は、それぞれ、それぞれの格子周期を画定するように該積層複屈折副層の隣接するものの間のそれぞれの境界面に沿って変化する局所光軸を備える、光学素子。
請求項２：
前記積層複屈折副層は、前記光の波長未満のそれぞれの厚さを有する、請求項１に記載の光学素子。
請求項３：
前記それぞれの厚さは、前記積層複屈折副層の前記局所光軸によって画定される前記それぞれの格子周期未満であり、前記それぞれの厚さの合計を含む合計した厚さは、前記それぞれの格子周期より大きい、請求項２に記載の光学素子。
請求項４：
前記光の前記波長は波長λを含み、前記それぞれの格子周期は該光学素子の周期Λを画定し、前記合計した厚さは厚さｄを含み、前記積層複屈折副層の平均屈折率は、Ｑ＝２πλｄ／Λ２ｎである場合、Ｑが前記波長λに対して１より大きいような屈折率ｎを含む、請求項３に記載の光学素子。
請求項５：
前記積層複屈折副層は、約０．４未満の複屈折を有する材料を備える、請求項４に記載の光学素子。
請求項６：
前記積層複屈折副層は、前記局所光軸を画定する液晶分子配向を有する液晶副層をそれぞれ含む、請求項５に記載の光学素子。
請求項７：
前記積層複屈折副層のうちの１つ又は複数の前記局所光軸は、該積層複屈折副層の前記それぞれの厚さにわたって回転してそれぞれのねじれ角を画定する、請求項４に記載の光学素子。
請求項８：
前記それぞれのねじれ角及び／又はそれぞれの厚さのうちの幾つかは、前記積層複屈折副層の間で異なる、請求項７に記載の光学素子。
請求項９：
前記複数の積層複屈折副層は、前記光を、該光の入射偏光とは異なる、実質的に同じ偏光を有する０次ビーム及び１次ビームに回折するように構成されている、請求項１に記載の光学素子。
請求項１０：
前記複数の積層複屈折副層は、ブラッグ角におよそ等しい入射角の前記光を受け取ることに応答して、前記光を、約９４％以上の回折効率で１次ビームに回折するように構成されている、請求項１に記載の光学素子。
請求項１１：
０次ビーム及び前記１次ビームの伝播の角度の差は、前記ブラッグ角におよそ等しい前記入射角で前記光を受け取ることに応答して、約４５度より大きい、請求項１０に記載の光学素子。
請求項１２：
前記０次ビーム及び前記１次ビームの前記実質的に同じ偏光は、同じ掌性の少なくとも略円偏光を含む、請求項９に記載の光学素子。
請求項１３：
前記積層複屈折副層から出力される０次ビーム及び／又は１次ビームを受け取り、該０次ビーム及び／又は該１次ビームを該積層複屈折副層に戻るように反射するように配置された反射素子、
を更に備える、請求項２に記載の光学素子。
請求項１４：
前記反射素子は、前記積層複屈折副層から前記０次ビーム及び／又は前記１次ビームを受け取ることに応じて、複数の異なる偏光を有する光を出力するように構成されている、請求項１３に記載の光学素子。
請求項１５：
前記積層複屈折副層の前記それぞれの格子周期は、前記光の波長未満である、請求項１に記載の光学素子。
請求項１６：
前記複数の積層複屈折副層に光学的に結合された透明基板を更に備え、
前記複数の積層複屈折副層は、前記透明基板内の全反射（ＴＩＲ）に対する臨界角より大きい角度で、前記光を１次ビームに回折するように構成されている、請求項１５に記載の光学素子。
請求項１７：
前記複数の積層複屈折副層は、それぞれの第１の格子周期を有する第１の複屈折副層を含み、かつ、前記ブラッグ条件に従って、内部を通過する第１の波長の前記光の伝播の方向を変更するように構成されており、前記光学素子は、
前記第１の複屈折副層の上にあり、前記ブラッグ条件に従って、内部を通過する第２の波長の前記光の伝播の方向を変更するようにそれぞれ構成された、複数の積層された第２の複屈折副層を更に備え、
前記第２の複屈折副層は、それぞれの第２の格子周期を画定するように、それらの間のそれぞれの境界面に沿って変化するそれぞれの局所光軸を有し、
前記第１の複屈折副層及び前記第２の複屈折副層は、前記第１の波長及び前記第２の波長の前記光をそれぞれ、それぞれの１次ビームに回折するように構成されている、請求項１に記載の光学素子。
請求項１８：
前記それぞれの１次ビームは、実質的に同じ伝播方向を有する、請求項１７に記載の光学素子。
請求項１９：
前記第２の格子周期、前記第２の複屈折副層の合計した厚さ、及び／又は前記第２の複屈折副層の平均屈折率は、前記第１の複屈折副層のものとは異なる、請求項１７に記載の光学素子。
請求項２０：
前記光の前記波長は、約４００ナノメートル（ｎｍ）〜約１７００ｎｍである、請求項２に記載の光学素子。
請求項２１：
前記それぞれの格子周期は、約１０００ナノメートル（ｎｍ）以下であり、前記それぞれの厚さは、約１００ｎｍ〜約３００ｎｍである、請求項２０に記載の光学素子。
請求項２２：
回折光学素子であって、
厚さｄ、平均屈折率ｎを有する少なくとも１つの液晶層であって、Ｑ＝２πλｄ／Λ２ｎである場合、変数Ｑが光の動作波長λに対して１より大きいような、該回折光学素子の格子周期Λを画定するように、該液晶層の表面に沿った方向に変化する液晶分子配向を備える、液晶層、
を備える、回折光学素子。
請求項２３：
前記少なくとも１つの液晶層は、複数の積層重合ネマティック液晶副層を備え、該積層重合液晶副層のそれぞれの厚さは、前記光の前記動作波長λ未満である、請求項２２に記載の回折光学素子。
請求項２４：
前記積層重合液晶副層の前記それぞれの厚さは、該回折光学素子の前記格子周期Λ未満であり、前記積層重合ネマティック液晶副層の前記それぞれの厚さは、該回折光学素子の前記格子周期Λ及び前記光の前記動作波長λより大きい厚さｄをまとめて画定する、請求項２３に記載の回折光学素子。
請求項２５：
前記積層重合ネマティック液晶副層のうちの１つ又は複数の前記液晶分子配向は、それぞれのねじれ角φを画定するようにその前記それぞれの厚さにわたって回転し、該それぞれのねじれ角φ及び／又は該それぞれの厚さは、前記積層重合ネマティック液晶副層の間で異なる、請求項２３に記載の回折光学素子。
請求項２６：
前記回折光学素子の前記格子周期Λは、前記光の前記動作波長λ未満である、請求項２２に記載の回折光学素子。
【図１】
0006726110.tif 000005
【図２】
0006726110.tif 000006
【図３Ａ】
0006726110.tif 000007
【図３Ｂ】
0006726110.tif 000008
【図４】
0006726110.tif 000009
【図５Ａ】
0006726110.tif 000010
【図５Ｂ】
0006726110.tif 000011
【図６】
0006726110.tif 000012
【図７】
0006726110.tif 000013
【図８】
0006726110.tif 000014
【図９】
0006726110.tif 000015
【図１０Ａ】
0006726110.tif 000016
【図１０Ｂ】
0006726110.tif 000017
【図１１】
0006726110.tif 000018
【図１２】
0006726110.tif 000019
【図１３】
0006726110.tif 000020
【図１４】
0006726110.tif 000021
【図１５】
0006726110.tif 000022
【図１６Ａ】
0006726110.tif 000023
【図１６Ｂ】
0006726110.tif 000024